(57)【要約】【課題】スクリーンを巻付けた巻取り軸を巻取りボックスに対して容易に着脱可能として、スクリーン装置の組立て作業及びスクリーンの交換作業を容易に且つ安価に行うことができる巻取り式スクリーン装置を提供する。【解決手段】巻取りボックス４のブラケット２０の内端面に、巻取り軸支持部材２４を巻取り軸１４の固定位置に案内する軌条部２６を設けるとともに、該軌条部２６に案内される巻取り軸支持部材２４の外側面に、軌条部２６に案内されてスライド移動するスライド部２８を設ける。ブラケット２０の軌条部２６と巻取り軸支持部材２４のスライド部２８との間に、巻取り軸１４の固定位置において相互に係合する係合手段３０を設けることにより、巻取り軸１４を巻取りボックス４内に着脱自在に支持させる。【選択図】図２
2008174938.tif 000002
【特許請求の範囲】
【請求項１】
巻取りボックスの両端に固定したブラケットに、それぞれ巻取り軸支持部材を介して巻取り軸の両端を回転自在に支持させ、該巻取り軸に内蔵したコイルスプリングの回転付勢力により、該巻取り軸に一端を保持させたスクリーンを自動的に巻取り可能としたスクリーン装置において、
上記巻取りボックスの少なくとも一方端におけるブラケットの内端面に、上記巻取り軸支持部材をスクリーンの開閉操作に供する上記巻取り軸の固定位置に案内する軌条部を設けるとともに、該軌条部に案内される巻取り軸支持部材の外側面に、上記軌条部に案内されてスライド移動するスライド部を設け、
上記ブラケットの軌条部と巻取り軸支持部材のスライド部との間に、上記巻取り軸の固定位置において相互に係合する係合手段を設けることにより、上記巻取り軸を巻取りボックス内に着脱自在に支持させた、
ことを特徴とする巻取り式スクリーン装置。
【請求項２】
巻取りボックスの一方端のブラケットに対する巻取り軸支持部材の固定が上記係合手段による係合であり、
巻取りボックスの他方端のブラケットに対する巻取り軸支持部材の固定が、巻取り軸の軸線方向への移動により相互に回転不能に嵌着される凸部と凹部である、
ことを特徴とする請求項１に記載の巻取り式スクリーン装置。
【請求項３】
上記係合手段が、巻取り軸支持部材のスライド部に、ブラケットの軌条部側へ弾性的に出没自在に設けられた係合部片と、上記軌条部側に設けられ、巻取り軸支持部材がその固定位置にあるときに上記係合部片における係合凹部に係合する係合鉤によって形成され、上記係合鉤の係合凹部に対する係合を解除する手段が付設されている、
ことを特徴とする請求項１または２に記載の巻取り式スクリーン装置。
【発明の詳細な説明】
【技術分野】
【０００１】
本発明は、建物開口部に設置する目隠し用スクリーン、遮光用スクリーン、断熱用スクリーン、花粉除け用スクリーン、あるいは防虫用のロール網戸等の各種の巻取り式のスクリーン装置に関するものである。
【背景技術】
【０００２】
従来より、巻取り軸に内蔵したコイルスプリングの回転付勢力により、該巻取り軸に一端を保持させたスクリーンを自動的に巻取り可能とした巻取り式のスクリーン装置は、特に例示するまでもなく一般に広く使用されている。概して、この種の巻取り式スクリーン装置においては、巻取りボックスの両端に取り付けられたブラケットに、巻取り軸の両端に取り付けた巻取り軸支持部材をそれぞれ固定することにより、該巻取り軸を巻取りボックス内において回転自在に支持させている。
【０００３】
而して、この種の巻取り式スクリーン装置は、図７に示すように、スクリーンを巻き付けた巻取り軸を巻取りボックス５４内に支持させるために、該巻取り軸の両端に取り付けた巻取り軸支持部材７４を、上記巻取りボックス５４の端部に取り付けたブラケット７０に対して、該巻取りボックス５４の内側においてビス１００で止着することにより固定的に取付けるのが通例であり、狭い空間での取付けであるため、該巻取りボックス５４に対する巻取り軸の固定作業が煩雑で、その作業に熟練を要し、一般のユーザーらが当該スクリーン装置の組立て作業を行うのは困難であるという問題点がある。したがって、建物開口部に取り付けた当該スクリーン装置のスクリーンに破れや解れ等が生じ、あるいは長期間の使用により汚れてしった場合に、該スクリーンの交換のために上記巻取りボックスから巻取り軸を取外すことよってスクリーンの交換作業を行うことも、当然のことながら困難であり、上記スクリーンの交換をするためには、該スクリーンを巻取りボックスも含めてメーカーに送るか、あるいは、メーカーの熟練の交換作業担当者に交換を依頼することで、スクリーンを交換して貰う必要があり、結果的に、スクリーンの交換及び返送に少なからず時間と費用がかかってしまうという問題点も指摘されている。
【発明の開示】
【発明が解決しようとする課題】
【０００４】
本発明の技術的課題は、スクリーンを巻付けた巻取り軸を巻取りボックスに対して容易に着脱可能とすることにより、当該巻取り式スクリーン装置の組立て作業、並びに当該スクリーン装置におけるスクリーンの交換作業を一般のユーザーにおいても容易に且つ安価に行うことができるようにした巻取り式スクリーン装置を提供することにある。
【課題を解決するための手段】
【０００５】
上記課題を解決するための本発明は、巻取りボックスの両端に固定したブラケットに、それぞれ巻取り軸支持部材を介して巻取り軸の両端を回転自在に支持させ、該巻取り軸に内蔵したコイルスプリングの回転付勢力により、該巻取り軸に一端を保持させたスクリーンを自動的に巻取り可能としたスクリーン装置において、上記巻取りボックスの少なくとも一方端におけるブラケットの内端面に、上記巻取り軸支持部材をスクリーンの開閉操作に供する上記巻取り軸の固定位置に案内する軌条部を設けるとともに、該軌条部に案内される巻取り軸支持部材の外側面に、上記軌条部に案内されてスライド移動するスライド部を設け、上記ブラケットの軌条部と巻取り軸支持部材のスライド部との間に、上記巻取り軸の固定位置において相互に係合する係合手段を設けることにより、上記巻取り軸を巻取りボックス内に着脱自在に支持させたことを特徴とするものである。
【０００６】
本発明に係る巻取り式スクリーン装置の好ましい実施形態においては、巻取りボックスの一方端のブラケットに対する巻取り軸支持部材の固定が上記係合手段による係合であり、巻取りボックスの他方端のブラケットに対する巻取り軸支持部材の固定が、巻取り軸の軸線方向への移動により相互に回転不能に嵌着される凸部と凹部によって行われる。
また、本発明に係る巻取り式スクリーン装置の他の好ましい実施形態においては、上記係合手段が、巻取り軸支持部材のスライド部に、ブラケットの軌条部側へ弾性的に出没自在に設けられた係合部片と、上記軌条部側に設けられ、巻取り軸支持部材がその固定位置にあるときに上記係合部片における係合凹部に係合する係合鉤によって形成され、上記係合鉤の係合凹部に対する係合を解除する手段が付設される。
【発明の効果】
【０００７】
以上に詳述した本発明に係る巻取り式スクリーン装置によれば、スクリーンを巻付けた巻取り軸を巻取りボックスに対して容易に着脱することができるので、当該巻取り式スクリーン装置の組立て作業、並びに当該スクリーン装置におけるスクリーンの交換作業を一般のユーザーにおいても容易に且つ安価に行うことができる。
【発明を実施するための最良の形態】
【０００８】
本発明に係る巻取り式スクリーン装置を実施するための最良の形態を、図面に基いて詳細に説明するに、図１は本発明に係る巻取り式スクリーン装置の全体的な構成を示すもので、この実施例では、巻取り軸に巻回したスクリーンを横引きで開閉できるようにした巻取り式スクリーン装置を、建物開口部における遮光、断熱、目隠し、花粉除け、あるいは防虫等のための網戸に適用した場合について示している。なお、本発明の巻取り式スクリーン装置は、上記横引きにより開閉するものに限定されるものではなく、上下方向に開閉するスクリーンを上方に自動巻取りする場合にも適用することができる。
【０００９】
図１に示している巻取り式スクリーン装置は、概略的には、建物開口部に設置するスクリーン枠２の一方の側枠を構成する巻取りボックス４内に、スクリーン１２を巻付けるための巻取り軸１４を回転自在に支持させ、該巻取りボックス４及びそれに対向する側枠６の上下にそれぞれ連結配置された上枠８及び下枠１０に、上記スクリーン１２の開閉操作のための可動框１６を摺動自在に支持させるとともに、該スクリーン１２の開閉方向の上下端部をそれぞれ上記上枠８及び下枠１０にガイドさせることにより、該スクリーン１２をスクリーン枠２内において開閉自在としている。
【００１０】
より具体的には、上記スクリーン枠２は、一方の側枠を構成する上記巻取りボックス４の上下端に連結された上枠８及び下枠１０と、該巻取りボックス４に対向して枠体を構成する側枠６とを相互に連結することにより構成され、上記巻取りボックス４の巻取り軸１４にコイルスプリング（図示省略）を内蔵させ、このコイルスプリングの捩りによる回転付勢力を巻取り軸１４による上記スクリーン１２の巻取りのための駆動源として、該スクリーン１２の開閉方向に沿う上下端部をそれぞれ上記スクリーン枠２の上枠８及び下枠１０にガイドさせながら該スクリーンを自動的に巻取り可能に構成し、上記スクリーン１２の先端には、該スクリーン１２の開閉操作に供するところの可動框１６を着脱自在に取り付け、該可動框１６を上記上枠８及び下枠１０に摺動自在に支持させ、該可動框１６に付設した掛け金具またはマグネット（図示省略）をスクリーン１２の張設時に側枠６に係合または磁着させることにより、スクリーン１２を張設状態に保持できるようにしている。
【００１１】
上記巻取りボックス４は、その上下端にそれぞれブラケット１８，２０が固定されており、また、上記巻取り軸１４の全長に沿う前面部分を取外し自在の開放カバー（図示省略）とすることにより、該巻取りボックス４内に着脱自在に設けた後述する巻取り軸支持部材２２，２４を上記巻取り軸１４とともに挿脱可能な大きさに開放可能としている。なお、上記開放カバーは、巻取りボックス４から取外すことなく、該巻取りボックス４を開放した状態で保持させるように回転自在に螺着することもできる。
【００１２】
上記巻取り軸１４は、図１に示すように、上記巻取りボックス４の上下端のブラケット１８，２０に、両端をそれぞれ巻取り軸支持部材２２，２４を介して回転自在に、且つ着脱可能に設けられており、当該巻取り式スクリーン装置の組立て作業、並びに上記スクリーン１２の交換作業を容易に行えるように構成している。
具体的には、上記巻取りボックス４の下端におけるブラケット２０には、図２〜４に示すように、その内端面に、上記巻取り軸支持部材２４をスクリーン１２の開閉操作に供する上記巻取り軸１４の固定位置に案内する一対の軌条部２６を設けるとともに、上記巻取り軸支持部材２４の外側面に、上記各軌条部２６に案内されてスライド移動するスライド部２８を設け、上記ブラケット２０の軌条部２６と巻取り軸支持部材２４のスライド部２８との間に、上記巻取り軸１４の固定位置において相互に着脱自在に係合する係合手段３０を設けることにより、上記巻取り軸１４の下端の巻取り軸支持部材２４を巻取りボックス４内に着脱自在に支持させている。
【００１３】
上記係合手段３０は、合成樹脂からなる巻取り軸支持部材２４のスライド部２８に、ブラケット２０の軌条部２６側へ弾性的に出没自在として一体に設けられた係合部片３２と、上記ブラケット２０の軌条部２６側に設けられた係合鉤３４によって構成されており、上記巻取り軸支持部材２４がその固定位置にあるときに、上記係合部片３２に形成された係合凹部３２ａに上記軌条部２６の係合鉤３４が係合するように構成されている。なお、上記係合鉤３４の係合凹部３２ａに対する係合を解除する手段としては、この実施例の場合、図４に示すように、上記係合部片３２の端縁に形成された略鉤形の突片３６と上記軌条部２６の端縁との間にマイナスドライバー等の工具を差し込んで、上記係合鉤３４の係合凹部３２ａに対する係合を解除する方向に上記係合部片３２を弾性的に押圧することにより、該係合鉤３４と係合凹部３２ａとの係合を容易に解除するようにしているが、上記係合部材３２を弾性的に押戻す適宜手段を採用することができる。
【００１４】
また、上記ブラケット２０の軌条部２６と巻取り軸支持部材２４のスライド部２８との間には、該ブラケット２０に対する巻取り軸支持部材２４の位置決めのための位置決め手段３８が付設されている。この位置決め手段３８は、上記軌条部２６側に設けられたスリット２６ａと、上記スライド部２８側に設けられた位置決め用凸部２８ａとで構成されており、上記巻取り軸支持部材２４をスクリーン１２の開閉操作に供する上記巻取り軸１４の固定位置までスライドさせたときに、上記スリット２６ａに位置決め用凸部２８ａが嵌入することにより、上記巻取り軸支持部材２４がブラケット２０に対して位置決めされるように構成している。
【００１５】
一方、巻取りボックス４の上端におけるブラケット１８に対する巻取り軸支持部材２２の固定は、図５及び６に示すように、上記巻取り軸１４を軸線方向に移動させ、上記ブラケット１８の内端面に突出させた凸部４０を、上記巻取り軸支持部材２２の外端面に形成した凹部４２に相互に回転不能に嵌着することにより固定するように構成されている。
より具体的には、上記ブラケット１８の内端面に、そのほぼ中央に断面略矩形状の孔４０ａを有する凸部４０が形成され、一方、上記巻取り軸支持部材２２の外端面には、そのほぼ中央に上記ブラケット１８における凸部４０の孔４０ａに対応する断面略矩形状の凸片４２ａを有する凹部４２が形成されており、上記巻取り軸１４の軸線方向への移動により、上記ブラケット１８における凸部４０の孔４０ａに、上記巻取り軸支持部材２２における凹部４２の凸片４２ａを嵌入させた状態で、それらの凸部４０と凹部４２とが相互に嵌着することにより、上記ブラケット１８に対して巻取り軸支持部材２２が相互に回転不能に固定されている。
【００１６】
巻取りボックス４のブラケット１８，２０に対する巻取り軸支持部材２２，２４の着脱に際し、上記巻取り軸１４と巻取り軸支持部材２２，２４とがコイルスプリングの付勢力で相互に回転しないようにロックするロック手段がそれらの間に設けられている場合には、上述のように、ブラケット１８における凸部４０の孔４０ａと巻取り軸支持部材２２における凹部４２内の凸片４２ａとを相互に回転不能に嵌着すればよいが、上記ロック手段を備えることなく、巻取りボックス４の一部に巻取り軸１４内のコイルスプリングの付勢力を調整する調整ダイヤル４５を設けている場合には、上記凸片４２ａが凹部４２を設けた巻取り軸支持部材２２に対して回転自在で上記コイルスプリングの一端が固定されている支持軸となり、上記凸部４０が上記付勢力の調整ダイヤル４５に回転駆動されて上記支持軸（凸片４２ａ）を介してコイルスプリングの巻取り力を蓄積させる回転伝達軸となる。
【００１７】
上記構成を有する巻取式スクリーン装置において、上記巻取りボックス４に対して巻取り軸１４を支持させる場合には、先ず、上記巻取り軸１４の上端の巻取り軸支持部材２２を、該巻取り軸１４の軸線方向に移動させ、上記巻取りボックス４の上端におけるブラケット１８の内端面に形成した凸部４０を、上記巻取り軸支持部材２２の外端面に形成した凹部４２に嵌着することにより、上記ブラケット１８に対して巻取り軸支持部材２２を相互に回転不能に固定する（図５参照）。
次に、上記巻取り軸１４の下端における巻取り軸支持部材２４のスライド部２８を、上記巻取りボックス４の下端におけるブラケット２０の軌条部２６に対峙させ（図３参照）、該軌条部２６に対してスライド部２８をスライドさせながら、上記巻取り軸支持部材２４をスクリーン１２の開閉操作に供する上記巻取り軸１４の固定位置まで案内し、上記軌条部２６とスライド部２８との間に設けた位置決め手段３８において、該軌条部２６のスリット２６ａにスライド部２８の位置決め用凸部２８ａを嵌入させることにより、該巻取り軸支持部材２４をブラケット２０に対して位置決めするとともに、該軌条部２６とスライド部２８との間に設けた係合手段３０において、該スライド部２８における係合部片３２の係合凹部３２ａに上記軌条部２６の係合鉤３４を係合させることにより、上記巻取り軸１４を巻取りボックス４に対して着脱自在に支持させることができる（図２及び図４参照）。
【００１８】
一方、上記巻取り軸１４をスクリーン１２の交換作業等のために取外す場合には、上記巻取りボックス４の下端におけるブラケット２０の軌条部２６と、巻取り軸１４の下端における巻取り軸支持部材２４のスライド部２８との間の係合手段３０の係合を、該スライド部２８における係合部片３２の突片３６と上記軌条部２６の端縁との間にマイナスドライバー等の工具を差し込んで、上記係合鉤３４の係合凹部３２ａに対する係合を解除する方向に上記係合部片３２を弾性的に押圧することにより解除したうえで（図４参照）、上記巻取り軸支持部材２４のスライド部２８を上記ブラケット２０の軌条部２６に沿ってスライドさせ、該ブラケット４から巻取り軸支持部材２４を取外す（図３参照）。
次いで、上記巻取り軸１４を軸線方向に移動させ、上記巻取りボックス４の上端におけるブラケット１８の凸部４０と、巻取り軸１４の上端における巻取り軸支持部材２２の凹部４２との嵌着を解除することにより、上記巻取り軸１４を巻取りボックス４から容易に取外すことができる（図５参照）。
【００１９】
上記構成を有する巻取り式スクリーン装置によれば、スクリーン１２を巻付けた巻取り軸１４を巻取りボックス４に対して容易に着脱することができるので、当該巻取り式スクリーン装置の組立て作業、並びに当該スクリーン装置におけるスクリーン１２の交換作業を一般のユーザーが容易に且つ安価に行うことができる。
【図面の簡単な説明】
【００２０】
【図１】本発明の実施例に係る巻取り式スクリーン装置における巻取りボックスの開放カバーを取外した状態を示す斜視図である。
【図２】同巻取りボックスの下端におけるブラケットに対する巻取り軸支持部材の固定態様を説明する要部平断面図である。
【図３】同ブラケットの軌条部に巻取り軸支持部材のスライド部を対峙させた状態を示す要部平断面図である。
【図４】同巻取り軸支持部材のスライド部をブラケットの軌条部における巻取り軸の固定位置まで案内し、軌条部とスライド部との間の係合手段を係合させる態様を説明する要部平断面図である。
【図５】同巻取りボックスの上端におけるブラケットに対する巻取り軸支持部材の固定態様を説明する要部拡大斜視図である。
【図６】同巻取り軸の上端の巻取り軸支持部材を示す要部拡大斜視図である。
【図７】従来の巻取り式スクリーン装置におけるブラケットに対する巻取り軸支持部材の固定態様を説明する要部平断面図である。
【符号の説明】
【００２１】
２    スクリーン枠
４    巻取りボックス
１２    スクリーン
１４    巻取り軸
１６    可動框
１８，２０    ブラケット
２２，２４    巻取り軸支持部材
２６    軌条部
２８    スライド部
３０    係合手段
３２    係合部片
３２ａ  係合凹部
３４    係合鉤
３６    突片
４０    凸部
４２    凹部
【図１】
2008174938.tif 000003
【図２】
2008174938.tif 000004
【図３】
2008174938.tif 000005
【図４】
2008174938.tif 000006
【図５】
2008174938.tif 000007
【図６】
2008174938.tif 000008
【図７】
2008174938.tif 000009